(57)【要約】【課題】テープ引出長さを無段階で指定し、指定したテープ引出長さでテープを繰り返しカットする。【解決手段】テープカッターは、テープロールＲを回転可能に支持するテープロール支持部１０と、テープロールＲから引き出されたテープＴを切断する切断刃１９と、截頭円錐形状の調節ローラー２０と、調節ローラー２０の中心軸線回りで回転可能、かつローラー軸方向Ｄｒに移動可能に調節ローラー２０を支持するローラー回転軸３０と、テープロールＲの外周面に接する方向にローラー回転軸３０を移動可能に支持する調節ローラー支持部４０と、調節ローラー２０が一回転する毎に、テープＴの引出者に刺激を与える刺激印加部５０と、を備える。【選択図】図１
2014218325.tif 000002
【特許請求の範囲】
【請求項１】
テープロールの中心軸線を中心として、前記テープロールを回転可能に支持するテープロール支持部と、
前記テープロール支持部に支持されている前記テープロールが回転させられて、前記テープロールから引き出されたテープを切断する切断刃と、
断面が円形を成し、中心軸線が延びるローラー軸方向の一方側から他方側に向かうに従って次第に縮径している調節ローラーと、
前記調節ローラーの前記中心軸線であるローラー中心軸線回りで回転可能、かつ前記ローラー軸方向に移動可能に前記調節ローラーを支持するローラー回転軸と、
前記調節ローラーの外周面が前記テープロール支持部に支持されている前記テープロールの外周面に接する方向に、前記ローラー回転軸を移動可能に支持する調節ローラー支持部と、
前記調節ローラーが前記ローラー中心軸線回りに一回転する毎に、テープの引出者に刺激を与えて該引出者に調節ローラーが一回転したことを認識させる刺激印加部と、
を備えているテープカッター。
【請求項２】
前記調節ローラーの外周面が前記テープロール支持部に支持されている前記テープロールの外周面に接する方向に、前記ローラー回転軸を付勢する付勢部を有する請求項１に記載のテープカッター。
【請求項３】
前記刺激印加部は、前記調節ローラーの稜線に沿って形成された凹部と、前記調節ローラーの回転に伴って、前記調節ローラーの外周面に摺接しつつ前記凹部に入り込む接触端部と、を有する請求項１又は２に記載のテープカッター。
【請求項４】
前記刺激印加部は、前記調節ローラーの稜線に沿って形成された凸部を有する請求項１又は２に記載のテープカッター。
【請求項５】
前記刺激印加部から前記刺激が出力されるタイミングにおけるテープ引出量を示す引出量表示部を有する請求項１から４のいずれか一項に記載のテープカッター。
【請求項６】
テープロールの中心軸線を中心として、前記テープロールを回転可能に支持し、
断面が円形を成し、中心軸線が延びるローラー軸方向の一方側から他方側に向かうに従って次第に縮径している調節ローラーを、前記調節ローラーの中心軸線であるローラー中心軸線回りで回転可能、かつ前記ローラー軸方向に移動可能に支持し、
前記調節ローラーの外周面が回転可能に支持されている前記テープロールの外周面に接する接触方向に、前記ローラー回転軸を移動可能に支持すると共に前記接触方向に前記ローラー回転軸を付勢し、
前記調節ローラーが前記ローラー中心軸線回りに一回転する毎に、テープの引出者に刺激を与えて該引出者に前記調節ローラーが一回転したことを認識させ、
前記引出者に刺激を与えたタイミングで、回転可能に支持されている前記テープロールから引き出されたテープを前記引出者に切断刃で切断させる、
ことを特徴とするテープのカット方法。
【発明の詳細な説明】
【技術分野】
【０００１】
本発明は、粘着テープ等のテープをカットするテープカッター及びテープのカット方法に関する。
【背景技術】
【０００２】
粘着テープ等を繰り返し決まった長さでカットできる定尺テープカッターとしては、例えば、以下の特許文献１に記載のテープカッターがある。このテープカッターは、テープの引き出しに応じて回転する回転ローラーと、この回転ローラーと一体に回転する歯車と、歯車と噛合する弾性部材とを備えている。このテープカッターでは、歯車と弾性部材とが弾接状態で噛合することにより、テープの引出者に対して一定間隔の手ごたえを与え、同時に目盛によるテープの引出長さを引出者に提示している。
【０００３】
テープカッターとしては、さらに、以下の特許文献２に記載のテープカッターや特許文献３に記載のテープカッターがある。特許文献２に記載のテープカッターは、円柱状のローラーの円周長さ分のテープを引き出せるものである。また、特許文献３に記載のテープカッターは、テープロールが装着されるテープリールに、このテープリールの中心軸線を中心として周方向に等間隔で複数の溝を形成し、この溝に嵌り込むバーを設置し、溝の数量に対応した引出長さを設定できるものである。
【先行技術文献】
【特許文献】
【０００４】
【特許文献１】特開平２０１０−１９５５７０号公報
【特許文献２】特開昭５９−３９６５５号公報
【特許文献３】実開平５−９２２５８号公報
【発明の概要】
【発明が解決しようとする課題】
【０００５】
しかしながら、上記特許文献１のテープカッターでは、指定できるテープ引出長さが歯車の歯数に依存し、テープ引出長さが段階的になるという課題がある。また、特許文献２，３のテープカッターでも、テープ引出長さが段階的になるという課題がある。
【０００６】
そこで、本発明の目的は、上記課題を解決することである。
【課題を解決するための手段】
【０００７】
上記課題を解決するための発明に係る一態様としてのテープカッターは、
テープロールの中心軸線を中心として、前記テープロールを回転可能に支持するテープロール支持部と、前記テープロール支持部に支持されている前記テープロールが回転させられて、前記テープロールから引き出されたテープを切断する切断刃と、断面が円形を成し、中心軸線が延びるローラー軸方向の一方側から他方側に向かうに従って次第に縮径している調節ローラーと、前記調節ローラーの前記中心軸線であるローラー中心軸線回りで回転可能、かつ前記ローラー軸方向に移動可能に前記調節ローラーを支持するローラー回転軸と、前記調節ローラーの外周面が前記テープロール支持部に支持されている前記テープロールの外周面に接する方向に、前記ローラー回転軸を移動可能に支持する調節ローラー支持部と、前記調節ローラーが前記ローラー中心軸線回りに一回転する毎に、テープの引出者に刺激を与えて該引出者に調節ローラーが一回転したことを認識させる刺激印加部と、を備えている。
【０００８】
また、上記課題を解決するための発明に係る一態様としてのテープのカット方法は、
テープロールの中心軸線を中心として、前記テープロールを回転可能に支持し、断面が円形を成し、中心軸線が延びるローラー軸方向の一方側から他方側に向かうに従って次第に縮径している調節ローラーを、前記調節ローラーの中心軸線であるローラー中心軸線回りで回転可能、かつ前記ローラー軸方向に移動可能に支持し、前記調節ローラーの外周面が回転可能に支持されている前記テープロールの外周面に接する接触方向に、前記ローラー回転軸を移動可能に支持すると共に前記接触方向に前記ローラー回転軸を付勢し、前記調節ローラーが前記ローラー中心軸線回りに一回転する毎に、テープの引出者に刺激を与えて該引出者に前記調節ローラーが一回転したことを認識させ、前記引出者に刺激を与えたタイミングで、回転可能に支持されている前記テープロールから引き出されたテープを前記引出者に切断刃で切断させる。
【発明の効果】
【０００９】
本発明によれば、テープ引出長さを無段階で指定し、指定したテープ引出長さでテープを繰り返しカットできる。
【図面の簡単な説明】
【００１０】
【図１】本発明に係る第一実施形態としてのテープカッターの天板を省略した平面図である。
【図２】本発明に係る第一実施形態としてのテープカッターの要部切欠側面図である。
【図３】本発明に係る第一実施形態としてのボールプランジャーを示す説明図で、同図（ａ）は、ボールプランジャーのボールが凹部に嵌り込んでいる際の説明図で、同図（ｂ）はボールプランジャーのボールが凹部から出る際の説明図である。
【図４】本発明に係る第一実施形態における調節ローラー及び指針部の斜視図である。
【図５】図４におけるＶ−Ｖ線断面図である。
【図６】本発明に係る第一実施形態としてのテープカッターの平面図である。
【図７】本発明に係る変形例としての       調節ローラー及び刺激印加部の斜視図である。
【図８】本発明に係る第二実施形態としてのテープカッターの平面図である。
【発明を実施するための形態】
【００１１】
以下、本発明に係るテープカッターの各種実施形態、及びその変形例について図面を参照して説明する。
【００１２】
「第一実施形態」
まず、本発明に係るテープカッターの第一実施形態について、図１〜図６を参照して説明する。
【００１３】
本実施形態のテープカッター１は、図１及び図２に示すように、テープロールＲを回転可能に支持するテープロール支持部１０と、テープロールＲから引き出されたテープＴを切断する切断刃１９と、調節ローラー２０と、ローラー中心軸線Ａｒ回りで回転可能且つローラー軸方向Ｄｒに移動可能に調節ローラー２０を支持するローラー回転軸３０と、ローラー回転軸３０を移動可能に支持する調節ローラー支持部４０と、調節ローラー２０がローラー中心軸線Ａｒ回りに一回転する毎に、テープＴの引出者に刺激を与える刺激印加部５０と、テープ引出量を示す引出量表示部６０（図６に示す）と、これらが搭載される基台７０と、を備えている。
【００１４】
テープロール支持部１０は、テープロールＲが外周側に装着されるテープリール１１と、テープリール１１に装着されたテープロールＲの中心軸線Ａｔ（以下、ロール中心軸線Ａｔとする）回りにテープリール１１と共にテープロールＲを回転可能に支持するテープリール回転軸１２と、テープリール回転軸１２を支持する軸支持脚１３と、を備えている。軸支持脚１３は、基台７０に固定されている。テープリール１１に装着されたテープロールＲから引き出されるテープＴは、ロール中心軸線Ａｔが延びるロール軸方向Ｄｔに対して垂直な方向に引き出される。以下、このテープＴが引き出される方向をテープ引出方向Ｄｄとする。
【００１５】
切断刃１９は、テープロール支持部１０からテープ引出方向Ｄｄに離間した位置で、基台７０に固定されている刃支持台１８に支持されている。
【００１６】
調節ローラー２０は、図４に示すように、断面が円形を成し、ローラー中心軸線Ａｒが延びるローラー軸方向Ｄｒの一方側から他方側に向かうに従って次第に縮径された形状を成している。具体的に、調節ローラー２０は、截頭円錐形状を成している。この調節ローラー２０には、この調節ローラー２０の稜線に沿って、ローラー軸方向Ｄｒの一方側端から他方側端まで延びている凹部２１が形成されている。この調節ローラー２０は、エラストマーやゴム等、テープロールＲとの間に大きな摩擦力を確保でき、外周面に凹部２１を形成するに十分な可塑性を有する材質で形成されている。この調節ローラー２０は、テープロール支持部１０を基準にして、切断刃１９とは反対側に配置されている。
【００１７】
ローラー回転軸３０の外周側には、図４及び図５に示すように、スリーブ３１が装着されている。スリーブ３１の両端には、外周側に張り出したフランジ３２が形成されている。スリーブ３１は、ローラー回転軸３０に対して、ローラー軸方向Ｄｒに相対移動可能で且つ相対回転不能に、このローラー回転軸３０に装着されている。ローラー回転軸３０及びこれに装着されているスリーブ３１は、調節ローラー２０のローラー中心軸線Ａｒ上を貫通している。調節ローラー２０は、スリーブ３１に対して、ローラー軸方向Ｄｒに相対移動不能で且つ相対回転可能に、このスリーブ３１に取り付けられている。すなわち、調節ローラー２０は、スリーブ３１と共にローラー軸方向Ｄｒに移動可能で、ローラー中心軸線Ａｒを中心として回転可能である。
【００１８】
調節ローラー支持部４０は、図１及び図２に示すように、ローラー回転軸３０が取り付けられている軸支持枠４１と、基台７０に固定されているボルト支持板４６と、ボルト支持板４６を貫通しているボルト４５と、ボルト支持板４６に対して軸支持枠４１をテープ引出方向Ｄｄに付勢する付勢部としてのローラー付勢バネ４７と、を有している。
【００１９】
軸支持枠４１は、互いに対向する一対の側板４２と、一対の側板４２相互を連結する連結板４３と、天板４４（図２に示す）を有している。一対の側板４２は、ロール軸方向Ｄｔで間隔をあけて対向している。ローラー回転軸３０は、一対の側板４２の相互間に配置されている。このローラー回転軸３０は、このローラー回転軸３０に取り付けられる調節ローラー２０の外周面がテープロール支持部１０に支持されているテープロールＲの稜線の全体に接触するように、ロール軸方向Ｄｔ及びテープ引出方向Ｄｄに対して傾斜した状態で、その両端部が側板４２に取り付けられている。連結板４３は、側板４２に取り付けられているローラー回転軸３０を基準にして、テープ引出方向Ｄｄとは反対側に配置されている。天板４４（図２に示す）は、基台７０と対向した状態で一対の側板４２及び連結板４３に固定されている。
【００２０】
ボルト支持板４６は、軸支持枠４１の連結板４３を基準にして、テープ引出方向Ｄｄとは反対側に連結板４３と間隔をあけて配置され、基台７０に固定されている。ボルト４５の軸部は、このボルト支持板４６をテープ引出方向Ｄｄに移動可能に貫通している。また、ボルト４５の軸先端部は、軸支持枠４１の連結板４３に捩じ込まれて固定されている。ローラー付勢バネ４７は、この連結板４３とボルト支持板４６との間であって、ボルト４５の外周側に配置されている。このため、軸支持枠４１及びこれに支持されているローラー回転軸３０は、テープ引出方向Ｄｄに移動可能で且つこのテープ引出方向Ｄｄに付勢されている。
【００２１】
刺激印加部５０は、調節ローラー２０の外周面に形成されている凹部２１と、ボールプランジャー（接触端部）５１と、このボールプランジャー５１を軸支持枠４１に取り付けるプランジャー支持脚５７と、を有して構成されている。
【００２２】
ボールプランジャー５１は、図３（ａ）に示すように、ボール５４と、内部に円柱状空間が形成されて円柱状空間の軸方向に移動可能にボール５４を保持するボールホルダー５２と、ボールホルダー５２内にボール５４と共に配置されているボール付勢バネ５５と、を有する。
【００２３】
ボールホルダー５２は、円柱状空間の軸方向の一方側が円形に開口している。この開口５３の径は、ボール５４の径に対して僅かに小さい。このため、ボール５４は、ボールホルダー５２から一部が突出可能であるものの、ボールホルダー５２から脱落しない。ボールホルダー５２内の円柱状空間に配置されているボール付勢バネ５５は、ボール５４を開口側へ付勢する。ボールホルダー５２は、このボールホルダー５２に保持されているボール５４が調節ローラー２０の外周面に接触可能にプランジャー支持脚５７により支持されている。このプランジャー支持脚５７は、軸支持枠４１に固定されている。
【００２４】
ボール付勢バネ５５により開口側に付勢されているボール５４は、図３（ｂ）に示すように、ボールホルダー５２の開口５３から僅かに突出して、調節ローラー２０の外周面に接触する。
【００２５】
引出量表示部６０は、図６に示すように、軸支持枠４１の天板４４に固定されている目盛り６１と、目盛り６１上の位置を示す指針部６２と、を有している。指針部６２は、図４及び図５に示すように、スリーブ３１のフランジ３２に固定され、ローラー中心軸線Ａｒに対して垂直な方向に延びている指針支持脚６３と、指針支持脚６３の端部に形成されている指針形成板６４と、この指針形成板６４の縁から突出している突起６５と、を有している。前述したように、スリーブ３１は、ローラー回転軸３０に対してローラー軸方向Ｄｒに相対移動可能で且つ相対回転不能であり、調節ローラー２０に対してローラー軸方向Ｄｒに相対移動不能で且つ相対回転可能である。このため、このスリーブ３１に固定されている指針部６２も、ローラー回転軸３０に対してローラー軸方向Ｄｒに相対移動可能で且つ相対回転不能であり、調節ローラー２０に対してローラー軸方向Ｄｒに相対移動不能で且つ相対回転可能である。すなわち、指針部６２は、スリーブ３１及び調節ローラー２０と共に、ローラー回転軸３０に対してローラー軸方向Ｄｒに移動可能であるものの、調節ローラー２０が回転しても回転しない。
【００２６】
軸支持枠４１の天板４４には、図５及び図６に示すように、この天板４４を貫通し、ローラー軸方向Ｄｒに長い長孔４４ａがローラー回転軸３０と対向するよう形成されている。目盛り６１は、この天板４４の長孔４４ａの縁に沿って固定されている。この目盛り６１には、調節ローラー２０のローラー軸方向Ｄｒにおける各位置での円周長の寸法が記載されている。指針部６２の指針支持脚６３は、天板４４の長孔４４ａを貫通している。このため、指針支持脚６３の端部に形成されている指針形成板６４及び突起６５は、天板４４を基準として調節ローラー２０と反対側、つまり天板４４の外側に位置している。天板４４の外側に位置している指針形成板６４は、スリーブ３１と共に調節ローラー２０をローラー軸方向Ｄｒに移動させる際の摘みになる。
【００２７】
次に、以上で説明したテープカッター１の取扱方法及びその動作について説明する。
【００２８】
まず、テープロールＲからテープＴを引き出す引出者は、このテープロールＲをテープロール支持部１０のテープリール１１に装着する。テープロールＲは、テープリール１１に装着されると、ロール中心軸線Ａｔを中心として回転可能になる。
【００２９】
次に、引出者は、天板４４の外側に位置している指針形成板６４を摘まんで、指針部６２及びスリーブ３１と共に調節ローラー２０をローラー軸方向Ｄｒに移動させる。そして、引出者は、目盛り６１に記載されている調節ローラー２０の円周長寸法のうちで、テープロールＲからテープＴを引き出したい長さ寸法と一致する円周長寸法の位置に、指針部６２の突起６５を位置させる。
【００３０】
テープロール支持部１０に支持されているテープロールＲの外周面には、テープ引出方向Ｄｄに、言い換えると調節ローラー２０との接触方向に付勢されている調節ローラー２０の外周面が接する。このため、引出者により、テープロールＲからテープＴが引き出されて、テープロールＲが回転すると、この回転に伴って調節ローラー２０も回転する。
【００３１】
ボールプランジャー５１のボール５４は、前述したように、ボール付勢バネ５５により開口側に付勢されているため、図３（ｂ）に示すように、ボールホルダー５２の開口５３から僅かに突出して、調節ローラー２０の外周面に接触している。この調節ローラー２０が回転すると、この調節ローラー２０の回転に伴って、ボール５４は調節ローラー２０の外周面に沿ってボールホルダー５２内で転がる。よって、調節ローラー２０とボールプランジャー５１との摩擦抵抗を小さくできる。ボール５４は、調節ローラー２０の回転に伴って調節ローラー２０の外周面に沿って転がっている過程で、調節ローラー２０の外周面に形成されている凹部２１に至ると、ボール付勢バネ５５に押されてさらにボールホルダー５２から突出し、凹部２１に嵌り込む。このため、調節ローラー２０は、ボール５４により一時的にその回転が拘束される。
【００３２】
テープ引出中の引出者は、ボール５４による調節ローラー２０の回転拘束を軽い衝撃として感じる。引出者がさらにテープＴを引き出し、テープロールＲを回転させると、図３（ｂ）に示すように、ボールプランジャー５１のボール５４は、調節ローラー２０の凹部２１から出て、再び、調節ローラー２０の外周面に沿って転がり始める。
【００３３】
ボールプランジャー５１のボール５４が調節ローラー２０の凹部２１に嵌り込んでから、調節ローラー２０が一回移転すると、再び、ボール５４は調節ローラー２０の凹部２１に嵌り込む。よって、調節ローラー２０が一回転する毎に、ボールプランジャー５１のボール５４が調節ローラー２０の凹部２１に嵌り込み、テープ引出中の引出者に対して刺激が与えられる。言い換えると、調節ローラー２０のうちでテープロールＲに接している位置での調節ローラー２０の円周長分のテープＴが引き出される毎に、引出者に対して刺激が与えられる。
【００３４】
よって、引出者は、テープＴを引き出している過程で刺激を受ける毎に、引き出したテープＴを切断刃１９で切断すると、調節ローラー２０のうちでテープロールＲに接している位置での調節ローラー２０の円周長分のテープＴを得ることができる。
【００３５】
ところで、指針部６２の突起６５は、目盛り６１に記載されている調節ローラー２０の円周長寸法のうちで、テープロールＲからテープＴを引き出したい長さ寸法と一致する円周長寸法の位置に位置している。このため、引出者は、刺激を受ける毎に、テープロールＲ中のテープ残量に関わらず、引き出したい長さ寸法分のテープＴを正確に引き出したことになる。
【００３６】
よって、本実施形態では、テープロールＲ中のテープ残量に関わらず、引出者が指定した長さのテープＴを繰り返して得ることができる。
【００３７】
本実施形態では、ローラー軸方向Ｄｒにおける調節ローラー２０の位置を変化させることで、調節ローラー２０の外周面の中で個テープロールＲとの接触位置が変化する。このため、調節ローラー２０におけるテープロールＲとの接触位置における径が変わり、調節ローラー２０が一回転したときのテープロールＲの回転角度が変化する。従って、本実施形態では、ローラー軸方向Ｄｒにおける調節ローラー２０の位置を変化させることにより、テープ引出長さの指定を変えることができる。しかも、本実施形態では、調節ローラー２０を、ローラー軸方向Ｄｒの任意の位置に無段階で移動させることができるので、テープ引出長さの指定を無段階で指定することができる。
【００３８】
また、本実施形態では、テープロールＲからのテープＴの引き出しを人力で行う上に、人力によるテープ引出力を利用して引出者に刺激を与えているので、モーターや電気回路等の電気部品が不要になる。よって、本実施形態では、テープカッター１の使用場所を選ばず、しかも、製造コストの削減を図ることができる。さらに、テープカッター１の小型軽量化も図ることができる。
【００３９】
また、本実施形態では、テープＴが粘着テープである場合でも、調節ローラー２０はテープＴの外面に接し、テープＴの粘着面には切断刃１９を除いて接触しないため、粘着力の低下を抑えることができる。
【００４０】
「刺激印加部の変形例」
次に、図７を参照して、上記実施形態における刺激印加部５０の変形例について説明する。
【００４１】
本変形例の調節ローラー２０ａには、この調節ローラー２０ａの稜線に沿って、ローラー軸方向Ｄｒの一方側端から他方側端まで延びている凸部２１ａが形成されている。本変形例の刺激印加部５０ａは、この調節ローラー２０ａの凸部２１ａである。
【００４２】
テープロール支持部１０に支持されているテープロールＲの外周面には、本変形例でも、テープ引出方向Ｄｄに付勢されている調節ローラー２０ａの外周面が接する。このため、引出者により、テープロールＲからテープＴが引き出されて、テープロールＲが回転すると、この回転に伴って調節ローラー２０ａも回転する。本変形例では、調節ローラー２０ａが一回転する毎に、調節ローラー２０ａの凸部２１ａがテープロールＲの外周面に衝突することになり、これが引出者に対する刺激となる。
【００４３】
よって、本変形例では、上記実施形態における刺激印加部５０の構成要素であるボールプランジャー５１及びプランジャー支持脚５７が不要になる。従って、本変形例では、上記実施形態よりも構成の簡素化を図ることができ、より製造コストを抑えることができる。
【００４４】
なお、刺激印加部は、調節ローラーが一回転する毎に、テープＴの引出者に刺激を与えるものであれば、上記実施形態や本変形例と異なるものであってもよい。例えば、調節ローラーの回転を検知するセンサと、センサにより調節ローラーの一回転が検知さえると、音や光を発する出力端子とで構成してもよい。但し、この例では、電気部品を使用することになるため、上記実施形態や本変形例よりも製造コストがかさむ。
【００４５】
「第二実施形態」
次に、図８を参照して、本発明に係るテープカッターの第二実施形態について説明する。
【００４６】
本実施形態のテープカッター１ｂも、第一実施形態と同様に、テープロール支持部１０、切断刃１９、調節ローラー２０、ローラー回転軸３０と、調節ローラー支持部４０ｂ、刺激印加部５０ｂを備えている。但し、本実施形態のテープカッター1ｂは、第一実施形態における引出量表示部６０を有していない。
【００４７】
また、本実施形態の調節ローラー支持部４０ｂは、第一実施形態の調節ローラー支持部４０と同様に、ローラー回転軸３０が取り付けられている軸支持枠４１を有しているものの、ボルト支持板４６、ボルト４５及びローラー付勢バネ４７を有していない。このため、引出者は、自ら軸支持枠４１をテープ引出方向Ｄｄに押して、調節ローラー２０の外周面をテープロールＲの外周面に接触させる必要がある。
【００４８】
以上、本発明の各種実施形態及びその変形例について図面を参照して詳述したが、具体的な構成はこれら実施形態や変形例に限られるものではなく、本発明の要旨を逸脱しない範囲の設計変更等も含まれる。
【符号の説明】
【００４９】
１，１ｂ…       テープカッター
１０…           テープロール支持部
１１…       テープリール
１２…       テープリール回転軸
１３…       軸支持脚
１９…       切断刃
２０，２０ａ…調節ローラー
２１…       凹部
２１ａ…凸部
３０…ローラー回転軸
３１…スリーブ
４０，４０ｂ…調節ローラー支持部
４１…軸支持枠
４５…ボルト
４６…ボルト支持板
４７…ローラー付勢バネ
５０，５０ａ，５０ｂ…刺激印加部
５１…ボールプランジャー
５２…ボールホルダー
５４…ボール
５５…ボール付勢バネ
５７…プランジャー支持脚
６０…    引出量表示部
６１…目盛り
６２…指針部
７０…    基台
Ｒ…    テープロール
Ｔ…    テープ
Ａｒ…ローラー中心軸線
Ａｔ…ロール中心軸線
Ｄｄ…テープ引出方向
Ｄｒ…ローラー軸方向
Ｄｔ…ロール軸方向
【図１】
2014218325.tif 000003
【図２】
2014218325.tif 000004
【図３】
2014218325.tif 000005
【図４】
2014218325.tif 000006
【図５】
2014218325.tif 000007
【図６】
2014218325.tif 000008
【図７】
2014218325.tif 000009
【図８】
2014218325.tif 000010